【手続補正書】
【提出日】平成26年3月18日(2014.3.18)
【手続補正１】
【補正対象書類名】特許請求の範囲
【補正対象項目名】全文
【補正方法】変更
【補正の内容】
【特許請求の範囲】
【請求項１】
方法であって、
画像内の特定の箇所についての視差値であり、特定の解像度に対する視差を示す前記視差値にアクセスするステップと、
前記アクセスした視差値を複数の解像度に基づいて修正して、修正視差値を生成するステップと、
を含む、前記方法。
【請求項２】
前記修正には、前記複数の解像度に基づく係数により、前記アクセスした視差値をスケール変更することが含まれる、請求項１に記載の方法。
【請求項３】
前記複数の解像度が、標準的なディスプレイによってサポートされる解像度に対応している、請求項１又は２に記載の方法。
【請求項４】
前記修正には、前記アクセスした視差値を、前記複数の解像度の公倍数に基づいて、スケール変更することが含まれる、請求項１から３の何れかの請求項に記載の方法。
【請求項５】
前記公倍数が前記複数の解像度の最小公倍数である、請求項４に記載の方法。
【請求項６】
前記公倍数が１１５２０である、請求項４又は５に記載の方法。
【請求項７】
前記修正視差値が、標準的なディスプレイの如何なる解像度よりも相当に大きい非標準的な解像度に対する視差を示している、請求項１から６の何れかの請求項に記載の方法。
【請求項８】
前記非標準的な解像度が前記複数の解像度の何れとも異なる、請求項７に記載の方法。
【請求項９】
前記画像が前記特定の解像度を有している、請求項１から８の何れかの請求項に記載の方法。
【請求項１０】
前記修正視差値が整数である、請求項１から９の何れかの請求項に記載の方法。
【請求項１１】
前記整数によって、前記複数の解像度について、視差に於いて、画素より細かい正確度が得られる、請求項１０に記載の方法。
【請求項１２】
前記整数によって、視差に於いて、１／４画素（４分の１画素）より正確な正確度が得られる、請求項１１に記載の方法。
【請求項１３】
１つ以上のプロセッサを備えた装置であって、
前記１つ以上のプロセッサが、
画像内の特定の箇所についての視差値であり、特定の解像度に対する視差を示す前記視差値にアクセスするステップと、
修正視差値を生成するために、前記アクセスした視差値を複数の解像度に基づいて修正するステップと、
を行うように集合的に構成されている、前記装置。
【請求項１４】
前記修正視差値を格納する為のメモリを更に備えた、請求項１３に記載の装置。
【請求項１５】
装置であって、
画像内の特定の箇所についての視差値であり、特定の解像度に対する視差を示す前記視差値にアクセスする手段と、
修正視差値を生成するために、前記アクセスした視差値を複数の解像度に基づいて修正する手段と、
を備えた、前記装置。
【請求項１６】
命令を格納したプロセッサ読み取り可能媒体であって、
前記命令によって、１つ以上のプロセッサが、
画像内の特定の箇所についての視差値であり、特定の解像度に対する視差を示す前記視差値にアクセスするステップと、
修正視差値を生成するために、前記アクセスした視差値を複数の解像度に基づいて修正するステップと、
を集合的に行う、前記プロセッサ読み取り可能媒体。
【請求項１７】
装置であって、
画像内の特定の箇所についての視差値であり、特定の解像度に対する視差を示す前記視差値にアクセスし、そして、修正視差値を生成するために、前記アクセスした視差値を複数の解像度に基づいて修正するように構成されたプロセッサと、
前記修正視差値を示すデータで信号を変調するように構成された変調器と、
を備えた、前記装置。
【請求項１８】
情報を含むようにフォーマット化された信号であって、
特定の解像度を有する画像内の特定の箇所についての視差値を含む視差部分を備えており、前記視差値が、前記特定の解像度とは異なり、且つ、複数の解像度に基づく別の解像度に対する視差を示している、前記信号。
【請求項１９】
信号構造であって、
特定の解像度を有する画像内の特定の箇所についての視差値を含む視差部分を備えており、前記視差値が、前記特定の解像度とは異なり、且つ、複数の解像度に基づく別の解像度に対する視差を示している、前記信号構造。
【請求項２０】
信号構造体を格納したプロセッサ読み取り可能媒体であって、
前記信号構造体が、特定の解像度を有する画像内の特定の箇所についての視差値を含む視差部分を備えており、前記視差値が、前記特定の解像度とは異なり、且つ、複数の解像度に基づく別の解像度に対する視差を示している、前記プロセッサ読み取り可能媒体。
【請求項２１】
方法であって、
特定の解像度を有する画像内の特定の箇所についての視差値であり、前記特定の解像度とは異なり、且つ、複数の解像度に基づく別の解像度に対する視差を示す前記視差値にアクセスするステップと、
前記特定の解像度についての視差を示す修正視差値を生成するために、前記アクセスした視差値を修正するステップと、
を含む、前記方法。
【請求項２２】
前記修正には、前記複数の解像度に基づく係数により、前記アクセスした視差値をスケール変更することが含まれている、請求項２１に記載の方法。
【請求項２３】
前記複数の解像度が、標準的なディスプレイによってサポートされる解像度に対応している、請求項２１又は２２記載の方法。
【請求項２４】
前記修正には、前記アクセスした視差値を、前記複数の解像度の公倍数に基づいて、スケール変更することが含まれている、請求項２１から２３の何れかの請求項に記載の方法。
【請求項２５】
前記公倍数が前記複数の解像度の最小公倍数である、請求項２４に記載の方法。
【請求項２６】
前記公倍数が１１５２０である、請求項２４又は２５記載の方法。
【請求項２７】
前記別の解像度が、標準的なディスプレイの如何なる解像度よりも相当に大きい非標準的な解像度である、請求項２１から２６の何れかの請求項に記載の方法。
【請求項２８】
前記非標準的な解像度が前記複数の解像度の何れとも異なる、請求項２７に記載の方法。
【請求項２９】
前記アクセスした視差値が整数である、請求項２１から２８の何れかの請求項に記載の方法。
【請求項３０】
前記修正視差値が整数である、請求項２１から２９の何れかの請求項に記載の方法。
【請求項３１】
前記整数によって、前記複数の解像度について、視差に於いて、画素より細かい正確度が得られる、請求項２９に記載の方法。
【請求項３２】
前記整数によって、視差に於いて、１／４画素（４分の１画素）より正確な正確度が得られる、請求項３１に記載の方法。
【請求項３３】
１つ以上のプロセッサを備えた装置であって、
前記１つ以上のプロセッサが、
特定の解像度を有する画像内の特定の箇所についての視差値であり、前記特定の解像度とは異なり、且つ、複数の解像度に基づく別の解像度に対する視差を示す前記視差値にアクセスするステップと、
前記特定の解像度についての視差を示す修正視差値を生成するために、前記アクセスした視差値を修正するステップと、
を行うように集合的に構成されている、前記装置。
【請求項３４】
前記修正視差値を格納する為のメモリを更に備えた、請求項３３に記載の装置。
【請求項３５】
装置であって、
特定の解像度を有する画像内の特定の箇所についての視差値であり、前記特定の解像度とは異なり、且つ、複数の解像度に基づく別の解像度に対する視差を示す前記視差値にアクセスする手段と、
前記特定の解像度についての視差を示す修正視差値を生成するために、前記アクセスした視差値を修正する手段と、
を備えた、前記装置。
【請求項３６】
命令を格納したプロセッサ読み取り可能媒体であって、
前記命令によって、１つ以上のプロセッサが、
特定の解像度を有する画像内の特定の箇所についての視差値であり、前記特定の解像度とは異なり、且つ、複数の解像度に基づく別の解像度に対する視差を示す前記視差値にアクセスするステップと、
前記特定の解像度についての視差を示す修正視差値を生成するために、前記アクセスした視差値を修正するステップと、
を集合的に行う、前記プロセッサ読み取り可能媒体。
【請求項３７】
装置であって、
特定の解像度を有する画像内の特定の箇所についての視差値であり、前記特定の解像度とは異なり、且つ、複数の解像度に基づく別の解像度に対する視差を示す前記視差値を示すデータを含む信号を復調する復調器と、
前記特定の解像度についての視差を示す修正視差値を生成するために、アクセスした前記視差値を修正するように構成されたプロセッサと、
を備えた、前記装置。
【請求項３８】
前記特定の解像度は水平方向解像度であり、前記視差値は水平方向視差である、請求項１または２１に記載の方法。
【請求項３９】
前記特定の解像度は水平方向解像度であり、前記視差値は水平方向視差である、請求項１３または３３に記載の装置。